(57)【要約】      （修正有）【課題】高さを変更する際の作業負担を軽減したテーブルを提供する。【解決手段】長脚部３１ａ、３１ｂと短脚部３３ａ、３３ｂとが屈曲して接続された脚部３０を、天板支持部２０に対して回動可能に連結し、長脚部３１ａ、３１ｂによって天板支持部２０が支持され、高さの高いテーブルとして使用される第１の支持形態と、短脚部３３ａ、３３ｂによって天板支持部２０が支持され、高さの低いテーブルとして使用される第２の支持形態とに変更可能な構成とし、天板部１０と天板支持部２０とは、互いに分離可能な構成とし、脚部３０によって天板支持部２０が支持された状態のまま、質量の大きな天板部１０を取り外す。【選択図】図１
2015054216.tif 000002
【特許請求の範囲】
【請求項１】
高さを２段階に変更可能なテーブルであって、
天板部と、前記天板部と分離可能な天板支持部と、前記天板支持部を支持する脚部と、を備え、
前記天板支持部は、４本の枠材からなる平面視四角形状の天地可逆な枠体を備え、前記天板部を支持するための第１の載置面と、前記第１の載置面と表裏の関係にあり前記天板部を支持するための第２の載置面と、を有し、
前記脚部は、
長脚部と、前記長脚部の端部に連結され前記長脚部よりも短い短脚部と、を有してＬ字状を呈し、
前記長脚部と前記短脚部との接続部において、水平方向に延びる回動軸によって前記天板支持部に回動可能に連結され、
前記脚部を回動させて前記長脚部を立てることにより前記長脚部が前記天板支持部を支持するとともに、上方を向く前記第１の載置面が前記天板部の下面に当接されることによって前記天板部を支持する第１の支持形態と、
前記脚部を回動させて前記短脚部を立てることにより前記短脚部が前記天板支持部を支持するとともに、上方を向く前記第２の載置面が前記天板部の下面に当接されることによって前記天板部を支持する第２の支持形態と、
に切り替え可能である、テーブル。
【請求項２】
前記第１の支持形態では、前記短脚部における前記Ｌ字状の外側の側面が前記第１の載置面と面一となり、
前記第２の支持形態では、前記長脚部における前記Ｌ字状の外側の側面が前記第２の載置面と面一となる、
請求項１に記載のテーブル。
【請求項３】
前記天板部の下面には吸い付き桟が固定され、
前記吸い付き桟の長さは、前記天板支持部の内法寸法に対応する、請求項１又は請求項２に記載のテーブル。
【請求項４】
前記天板支持部は、前記枠体を構成する４本の枠材のうち対向する２本の枠材間に梯子状に架け渡される補強桟材を更に備え、
前記吸い付き桟は、前記天板が前記天板支持部に支持された際に、前記補強桟材に当接する、請求項３に記載のテーブル。
【請求項５】
前記吸い付き桟は、前記第１の支持形態と前記第２の支持形態とのいずれの場合であっても前記補強桟材に当接する、請求項４に記載のテーブル。
【請求項６】
前記脚部は、前記枠体を構成する４本の枠材のうち対向する２本の枠材のそれぞれの両端部の位置に設けられ、
前記対向する２本の枠材のうち一方の枠材には持ち手が設けられ、
前記対向する２本の枠材のうち他方の枠材側に設けられた前記脚部の両側の先端面にはそれぞれキャスターが設けられる、請求項１〜請求項５のいずれか一項に記載のテーブル。
【発明の詳細な説明】
【技術分野】
【０００１】
本発明は、テーブルに関し、特に、床面から天板までの高さの調節が可能であるテーブルに関する。
【背景技術】
【０００２】
従来、長さの異なる２種類の部材を組み合わせて脚部を構成し、天板に対する脚部の取り付け方を変えることで、床面から天板までの高さを変更することができるテーブルが提案されている。このようなテーブルとして、特許文献１には、天板と、この天板に対して着脱自在に組み付けられる脚部材とによって構成される卓が記載されている。この卓の脚部材は、長尺状脚部と短尺状脚部とが連設された側面視Ｌ字状を呈している。この卓は、長尺状脚部によって天板が支持されるように短尺状脚部を天板に取り付ける、或は、短尺状脚部によって天板が支持されるように長尺状脚部を天板に取り付けることによって、高さを変えることができる。
【０００３】
また、特許文献２には、天板と、この天板の裏面に対して着脱可能に取り付けられ、天板を支持する一対の支持脚とを備えるテーブルが記載されている。このテーブルの支持脚は、互いに直交する長さの異なる第１及び第２の天板支持枠と、これら第１及び第２の天板支持枠の双方に対して直交する状態で連結される連結枠とを備えている。このテーブルは、第１の天板支持枠を立てた状態で支持脚を天板の裏面に取り付ける、或は、第２の天板支持枠を立てた状態で支持脚を天板の裏面に取り付けることによって、高さを変えることができる。
【先行技術文献】
【特許文献】
【０００４】
【特許文献１】実開平７−３６７６１号公報
【特許文献２】特開２００１−１１２５４５号公報
【発明の概要】
【発明が解決しようとする課題】
【０００５】
しかしながら、特許文献１に記載された卓は、側面視Ｌ字状の脚部材を天板に対して直接組み付ける構成となっている。そのため、脚部材を付け替える際に、卓全体を裏返すか横倒しにする必要があり、特に、卓のサイズが大きい場合には質量が増し作業負担が大きくなる虞がある。
【０００６】
また、特許文献２に記載されたテーブルは、支持脚が自立するので、天板のみを取り外すことができるものと考えられるが、２つの支持脚が分離しているため天板に対する位置合わせを夫々の支持脚について行う必要があり、作業負担が大きくなる虞がある。
【０００７】
そこで本発明は、高さを変更する際の作業負担を軽減したテーブルを提供することを目的とする。
【課題を解決するための手段】
【０００８】
上記課題を解決すべく、本発明に係るテーブルは、高さを２段階に変更可能なテーブルであって、天板部と、天板部と分離可能な天板支持部と、天板支持部を支持する脚部と、を備え、天板支持部は、４本の枠材からなる平面視四角形状の天地可逆な枠体を備え、天板部を支持するための第１の載置面と、第１の載置面と表裏の関係にあり天板部を支持するための第２の載置面と、を有し、脚部は、長脚部と、長脚部の端部に連結され長脚部よりも短い短脚部と、を有してＬ字状を呈し、長脚部と短脚部との接続部において、水平方向に延びる回動軸によって天板支持部に回動可能に連結され、脚部を回動させて長脚部を立てることにより長脚部が天板支持部を支持するとともに、上方を向く第１の載置面が天板部の下面に当接されることによって天板部を支持する第１の支持形態と、脚部を回動させて短脚部を立てることにより短脚部が天板支持部を支持するとともに、上方を向く第２の載置面が天板部の下面に当接されることによって天板部を支持する第２の支持形態と、に切り替え可能である。
【０００９】
このようなテーブルによれば、長脚部が立てられて高さの高いテーブルとして使用される第１の支持形態では、天板支持部が長脚によって支持される。また、第１の支持形態とは天板支持部の天地が逆であり、短脚部が立てられて高さの低いテーブルとして使用される第２の支持形態では、天板支持部が短脚によって支持される。そのため、第１の支持形態と第２の支持形態との変更の際には、脚部によって天板支持部が支持された状態のまま、質量の大きな天板部を取り外すことができる。このように、天板部が分離可能であるため、天板部が外された状態で、天板支持部の天地を逆にする裏返し等の作業を行うことができる。天板支持部は枠体によって構成されているため比較的軽量であるため、作業負担が軽減されることになる。
また、脚部と天板支持部とは回動軸によって連結されているため、天板支持部と脚部との位置の変化は回動の範囲内に規制される。支持形態を変更する際に、天板支持部と脚部とが分離しないため、天板支持部と脚部との特別な位置合わせの必要もなく、作業負担が軽減されることになる。
【００１０】
また、第１の支持形態では、短脚部におけるＬ字状の外側の側面が第１の載置面と面一となり、第２の支持形態では、長脚部におけるＬ字状の外側の側面が第２の載置面と面一となっていてもよい。これによれば、第１の支持形態では、天板部を支持するための載置面が短脚部の側面の分だけ大きくなることで、より安定して天板部を支持することができる。そして、第２の支持形態では、天板部を支持するための載置面が長脚部の側面の分だけ大きくなることで、より安定して天板部を支持することができる。また、天板部の質量のうち所定量が脚部に直接加わることになるため、その分だけ天板支持部と脚部とを連結している回動軸に対する負荷が軽減することになる。
【００１１】
また、天板部の下面には吸い付き桟が固定され、吸い付き桟の長さは、天板支持部の内法寸法に対応するようにしてもよい。これによれば、天板部の反り返りを防止するための吸い付き桟を天板支持部と当接させることで、容易に天板支持部に対する天板部の位置決めを行うことができる。
【００１２】
また、天板支持部は、枠体を構成する４本の枠材のうち対向する２本の枠材間に梯子状に架け渡される補強桟材を更に備え、吸い付き桟は、天板が天板支持部に支持された際に、補強桟材に当接していてもよい。これによれば、吸い付き桟を天板支持部の変形を防止する補強桟材に対して当接させることで、容易に天板支持部に対する天板部の位置決めを行うことができる。
【００１３】
また、吸い付き桟は、第１の支持形態と第２の支持形態とのいずれの場合であっても補強桟材に当接していてもよい。このため、吸い付き桟への当接を目的とした場合、補強桟材は、第１の支持形態と第２の支持形態とで共通して利用され、第１の支持形態と第２の支持形態とで別々の補強桟材を設ける場合に比し、テーブルの構成部材を減らすことができる。
【００１４】
また、脚部は、枠体を構成する４本の枠材のうち対向する２本の枠材のそれぞれの両端部の位置に設けられ、対向する２本の枠材のうち一方の枠材には持ち手が設けられ、対向する２本の枠材のうち他方の枠材側に設けられた脚部の両側の先端面にはそれぞれキャスターが設けられていてもよい。これによれば、持ち手によって持ち手側の脚部を持ち上げると、地面に対してはキャスターのみが接触していることになるため、容易にテーブルを移動させることができる。また、天板支持部に設けられた持ち手を持ち上げることで移動を行うため、天板部を持ち上げて移動させる場合のように、天板部と天板支持部とを強固に固定する必要がない。
【発明の効果】
【００１５】
本発明によれば、高さを変更する際の作業負担を軽減したテーブルを提供することができる。
【図面の簡単な説明】
【００１６】
【図１】本発明の一実施形態に係るテーブルの斜視図である。
【図２】図１のテーブルの側面図である。
【図３】図１のテーブルの平面図である。
【図４】図１のテーブルの側面図である。
【図５】図１のテーブルの平面図である。
【図６】図１のテーブルにおける脚部の回動機構を示す模式図である。
【発明を実施するための形態】
【００１７】
以下、本発明に係る一実施形態について図面を参照しながら具体的に説明する。便宜上、実質的に同一の要素には同一の符号を付し、その説明を省略する場合がある。
【００１８】
図１は、テーブル１の天板部１０が取り外されている状態を示す斜視図である。図２及び図３は、天板部１０の高さが高い状態で支持されているテーブル１を示す平面図及び側面図である。図４及び図５は、天板部１０の高さが低い状態で支持されているテーブル１を示す平面図及び側面図である。図１〜図５に示されるように、テーブル１は、上面１０ａが平坦に加工された天板部１０と、天板部１０とは別体として設けられ天板部１０を支持する天板支持部２０と、天板支持部２０に連結され天板支持部２０を支持する脚部３０とを備えている。
【００１９】
まず、天板部１０、天板支持部２０及び脚部３０の各構成について説明する。図１〜５に示されるように、天板部１０は、例えば集成材を用いた板状部材であり、平面視において矩形状をなしている。天板部１０の各寸法は、例えば、厚さ（上下方向の寸法）が４０ｍｍ、幅（長手方向の寸法）が２０００ｍｍ、奥行（短手方向の寸法）が７００ｍｍである。天板部１０の下面１０ｂには、２本の吸い付き桟１１及び吸い付き桟１１よりも短い２本の吸い付き桟１２が、天板部１０から下向きに突出するように固定されている。吸い付き桟１１，１２は、天板部１０の長手方向に所定の間隔を空けて、内側に吸い付き桟１１、外側に吸い付き桟１２となるように互いに平行に配置されている。吸い付き桟１１，１２は、天板部１０の短手方向に延びて固定されることで、天板部１０の反り返りを防止する。
【００２０】
天板支持部２０は、平面視において四角形状をなす枠体２１及び枠体２１の変形や歪みを防止するための２本の補強桟材２７によって構成されている。天板支持部２０は、第１の載置面２１ａと、第１の載置面２１ａに対向する第２の載置面２１ｂとを備えている。第１の載置面２１ａと、第２の載置面２１ｂとは表裏の関係にある。天板支持部２０は、反転させることで、第１の載置面２１ａと第２の載置面２１ｂとのいずれにおいても天板部１０を支持できるものであり、天地可逆な構成といえる。図１〜図３においては、第１の載置面２１ａが上方を向き、第２の載置面２１ｂが下方を向いており、第１の載置面２１ａによって天板部１０が支持されている。図４及び図５では、第２の載置面２１ｂが上方を向き、第１の載置面２１ａが下方を向いており、第２の載置面２１ｂによって天板部１０が支持されている。
【００２１】
枠体２１は、長手方向に延びて設けられる一対の長枠材（枠材）２３と短手方向に延びて設けられる一対の短枠材（枠材）２５ａ，２５ｂとからなる。以下、「短枠材２５ａ，２５ｂ」を総称するときは、「短枠材２５」とする。一対の長枠材２３と一対の短枠材２５とは、いずれも対向して設けられている。長枠材２３と短枠材２５は集成材からなり、長方形の同一断面を有する。補強桟材２７は、一対の長枠材２３に梯子状に架け渡されている。補強桟材２７は、長枠材２３及び短枠材２５と同一素材かつ同一断面を有し、一方の上下方向に端面が第１の載置面２１ａに揃い、他方の端面が第２の載置面２１ｂに揃うように設けられる。
【００２２】
一方の短枠材２５ａには、使用者が把持するための持ち手２９が取り付けられている。持ち手２９は平面視で略コ字状をなし、短枠材２５の上下方向の略中央に固定されている。これにより、第１の載置面２１ａと第２の載置面２１ｂとのいずれが上方を向いた場合であっても、枠体２１内における持ち手２９の高さ位置が変わることはない。
【００２３】
脚部３０は、枠体２１の内側であって、一対の長枠材２３における、短枠材２５ａ側の端部に設けられる一対の脚部３０ａと、短枠材２５ｂ側の端部に設けられる一対の脚部３０ｂとから構成される。これにより、脚部３０は、枠体２１の内側の四隅にそれぞれ位置することになるため、一対の短枠材２５の両端部に位置するともいえる。
【００２４】
短枠材２５ａ側の脚部３０ａは、長脚部３１ａと短脚部３３ａとを有している。長脚部３１ａと短脚部３３ａとは、互いの一端部側を接続部３２ａとして、直角に屈曲するように接続されている。短脚部３３ａは長脚部３１ａの半分程度の長さであるため、脚部３０ａは不等辺のＬ字状となっている。長脚部３１ａ及び短脚部３３ａは、矩形断面を有し、その幅（Ｌ字状をなす面における幅、以下同じ）は、いずれも天板支持部２０の厚さに等しい。
【００２５】
短枠材２５ａに対向する短枠材２５ｂ側の脚部３０ｂは、長脚部３１ｂと短脚部３３ｂとを有している。長脚部３１ｂと短脚部３３ｂとは、互いの一端部側を接続部３２ｂとして、直角に屈曲するように接続されている。長脚部３１ｂ及び短脚部３３ｂは、矩形断面を有し、その幅はいずれも天板支持部２０の厚さと等しい。脚部３０ｂの両側の先端面３５ｂ，３６ｂには、移動用のキャスター３４が設けられている。長脚部３１ｂ及び短脚部３３ｂのキャスター３４を含めた長さは、短枠材２５ａ側の長脚部３１ａ及び短脚部３３ａの長さと同じであるため、脚部３０ｂは不等辺のＬ字状となる。なお、キャスター３４は、図示しないロック機構により回転の規制ができるものであるが、これに限定されるものでない。以下、「長脚部３１ａ，３１ｂ」、「短脚部３３ａ，３３ｂ」及び「接続部３２ａ，３２ｂ」を総称するときは、それぞれ「長脚部３１」、「短脚部３３」及び「接続部３２」とする。
【００２６】
脚部３０は、長枠材２３の両端部に対して、水平方向に延びる回動軸Ｓによって、それぞれの脚部が自由に回動可能となるように連結されている。脚部３０において、回動軸Ｓは、接続部３２の略中心の位置に設けられており、Ｌ字状をなす面に直交している。長枠材２３において、回動軸Ｓは、一対の脚部３０ａ，３０ｂを貫通して、その両端が長枠材２３の両端部の位置でそれぞれ保持されており、長枠材２３の内側側面に直交している。接続部３２の外側縁３２Ｃは、例えば曲率半径を長脚部３１（短脚部３３）の幅の半分の長さとして面取り加工がなされている。図６は、脚部３０ｂを例に脚部３０の回動の様子を示したものである。図６に示されるように、接続部３２の外側縁３２Ｃと短枠材２５とが干渉し合うことがないため、脚部３０は、天板支持部２０に対して回動軸Ｓを中心に回動可能となる。この回動は、長脚部３１におけるＬ字状の外側の側面３７ａ，３７ｂ又は短脚部３３におけるＬ字状の外側の側面３８ａ，３８ｂが短枠材２５に当接することで規制される。そのため、脚部３０は、天板支持部２０に対して、接続部３２の屈曲の角度と同じ９０度の範囲で回動可能となる。以下、「側面３７ａ，３７ｂ」を総称するときは、「側面３７」とし、「側面３８ａ，３８ｂ」を総称するときは、「側面３８」とする。
【００２７】
図３に示されるように、長脚部３１が立てられた状態では、長脚部３１のＬ字状の外側の側面３７が短枠材２５に当接し、図５に示されるように、短脚部３３が立てられた状態では、短脚部３３のＬ字状の外側の側面３８が短枠材２５に当接する。長脚部３１又は短脚部３３が立てられた状態のまま、枠体２１と脚部３０とを固定するために締結部材が用いられる。短脚部３３及び長脚部３１には、回動軸Ｓの位置から等距離の位置に、締結部材としてのボルト３９ａを貫通させるための貫通孔３９ｂが、Ｌ字状の面に直交して設けられている。また、枠体２１の長枠材２３には、貫通孔３９ｂに対応する位置に締結部材の受部としてのナット３９ｃが埋め込まれている（図６参照）。これにより、ボルト３９ａを貫通孔３９ｂに貫通させてナット３９ｃに締結することで、長脚部３１または短脚部３３が立てられた状態で枠体２１に対する脚部３０の位置を固定することができる。なお、例えば、ボルト３９ａのボルトヘッドは、工具を必要とせずに作業が行えるように、把持しやすい形状とすることができる。
【００２８】
図２及び図３に示されるように、長脚部３１が立てられた状態では、長脚部３１によって天板支持部２０が支持される。このとき、天板支持部２０の第１の載置面２１ａが上方を向くため、第１の載置面２１ａによって天板部１０が支持される（第１の支持形態）。また、図４及び図５に示されるように、脚部３０の短脚部３３が立てられた状態では、短脚部３３によって天板支持部２０が支持される。このとき、天板支持部２０の第２の載置面２１ｂが上方を向くため、第２の載置面２１ｂによって天板部１０が支持される（第２の支持形態）。
【００２９】
図３に示されるように、第１の支持形態では、短脚部３３が枠体２１の内側に収納されることになる。枠体２１の厚さと短脚部３３の幅とは同じ大きさに形成されているため、短脚部３３のＬ字状の外側の側面３８は第１の載置面２１ａと面一となる。この場合、短脚部３３の側面３８と第１の載置面２１ａとが一体となって天板部１０を支持することになる。また、図５に示されるように、第２の支持形態では、長脚部３１が枠体２１の内側に収納されることになる。枠体２１の厚さと長脚部３１の幅とは同じ大きさに形成されているため、長脚部３１の外側の側面３７は第２の載置面２１ｂと面一となる。この場合、長脚部３１の側面３７と第２の載置面２１ｂとが一体となって天板部１０を支持することになる。
【００３０】
天板部１０は天板支持部２０に対して分離可能に設けられており、天板支持部２０の第１の載置面２１ａ又は第２の載置面２１ｂのいずれかに載置された状態と天板支持部２０から取り外された状態とをとることができる。図２及び図４に示されるように、天板部１０が天板支持部２０に載置された状態では、天板部１０の下面１０ｂと第１の載置面２１ａ又は第２の載置面２１ｂとが当接する。また、吸い付き桟１１の長さと天板支持部２０の短手方向の内法寸法とは略同じであるので、吸い付き桟１１の端面と長枠材２３の内側面とが当接し、一対の吸い付き桟１１の外法寸法と天板支持部２０の一対の補強桟材２７の内法寸法とは略同じであるので、吸い付き桟１１の側面と補強桟材２７の側面とが当接し、吸い付き桟１２の長さと一対の脚部３０の内法寸法とは略同じであるので、吸い付き桟１２の側面と脚部３０の側面とが当接する。なお、各当接部分は若干のクリアランスをもって構成されるものであり、これにより天板支持部２０に対する天板部１０の着脱が可能となる。
【００３１】
支持形態の変更動作について、第１の支持形態から第２の支持形態へ変更する場合を一例として説明する。第１の支持形態では、天板支持部２０が長脚部３１によって支持された状態で、脚部３０が天板支持部２０に対して固定される。このとき、上方を向く第１の載置面２１ａには天板部１０が載置されており、吸い付き桟１１と長枠材２３及び補強桟材２７とが当接し、吸い付き桟１２と脚部３０とが当接する。
【００３２】
テーブル１の高さを低くする場合、まず、第１の載置面２１ａから天板部１０が取り外される。次に、天板支持部２０及び脚部３０が横倒しにされ、締結部材であるボルト３９ａが外される。これにより、脚部３０の固定が解除される。次に、脚部３０が回動されることにより、長脚部３１が枠体２１の内面側に収納され、短脚部３３が第１の載置面２１ａ側に突出する。この状態で、脚部３０がボルト３９ａによって天板支持部２０に固定される。そして、短脚部３３によって天板支持部２０が支持されるように、横倒しにされていた天板支持部２０及び脚部３０が立てられる。短脚部３３によって支持される天板支持部２０は、第１の支持形態から反転され天地が逆になるため、第２の載置面２１ｂが上方を向いている。天板部１０は、吸い付き桟１１と長枠材２３及び補強桟材２７とが当接し、吸い付き桟１２と脚部３０とが当接するように位置合わせがされて、第２の載置面２１ｂに載置される。これにより、テーブル１は第２の支持形態となる。このように、テーブル１は、高さを２段階に調節することができる。
【００３３】
以上説明したように、本実施形態に係るテーブル１は、長脚部３１が立てられて高さの高いテーブルとして使用される第１の支持形態では、天板支持部２０が長脚部３１によって支持される。また、第１の支持形態とは天板支持部２０の天地が逆であり、短脚部３３が立てられて高さの低いテーブルとして使用される第２の支持形態では、天板支持部２０が短脚部３３によって支持される。そのため、第１の支持形態と第２の支持形態との変更の際には、脚部３０によって天板支持部２０が支持された状態のまま、質量の大きな天板部１０を取り外すことができる。このように、天板部１０が分離可能であるため、天板部１０が外された状態で、天板支持部２０の天地を逆にするための裏返し等の作業を行うことができる。天板支持部２０は枠体２１によって構成されており、比較的軽量であるため、作業負担が軽減されることになる。
【００３４】
また、脚部３０と天板支持部２０とは回動軸Ｓによって連結されているため、天板支持部２０と脚部３０との位置の変化は回動の範囲内に規制される。これにより、第１の支持形態と第２の支持形態とを変更する際に、天板支持部２０と脚部３０とが分離しないため、天板支持部２０と脚部３０との特別な位置合わせの必要もなく、作業負担が軽減されることになる。
【００３５】
また、短脚部３３及び長脚部３１は、それぞれ角柱状を呈し、第１の支持形態では、短脚部３３の外側の側面３８が第１の載置面２１ａと面一となり、第２の支持形態では、長脚部３１の外側の側面３７が第２の載置面２１ｂと面一となる。これによれば、第１の支持形態では、天板部１０を支持するための載置面が短脚部３３の側面３８の分だけ大きくなることで、より安定して天板部１０を支持することができる。そして、第２の支持形態では、天板部１０を支持するための載置面が長脚部３１の側面３７の分だけ大きくなることで、より安定して天板部１０を支持することができる。また、天板部１０の質量のうち所定量が脚部３０に直接加わることになるため、その分だけ天板支持部２０と脚部３０とを連結している回動軸Ｓに対する負荷が軽減することになる。
【００３６】
また、天板部１０の下面１０ｂには吸い付き桟１１が設けられ、吸い付き桟１１は、天板部１０が天板支持部２０に支持された際に、天板支持部２０の枠体２１に当接する。これによれば、天板部１０の反り返りを防止するための吸い付き桟１１を天板支持部２０と当接させることで、容易に天板支持部２０に対する天板部１０の位置決めを行うことができる。
【００３７】
また、天板支持部２０は、枠体２１を構成する辺のうち一の対向する２辺間に渡される補強桟材２７を備え、吸い付き桟１１は、天板部１０が天板支持部２０に支持された際に、補強桟材２７に当接する。これによれば、天板支持部２０の変形を防止する補強桟材２７に対して吸い付き桟１１を当接させることで、容易に天板支持部２０に対する天板部１０の位置決めを行うことができ、ずれることもない。
【００３８】
また、補強桟材２７は、第１の支持形態と第２の支持形態とのいずれの場合であっても吸い付き桟１１に当接する。このため、吸い付き桟１１への当接を目的とした場合、補強桟材２７は、第１の支持形態と第２の支持形態とで共通して利用されるため、第１の支持形態と第２の支持形態とで別々の補強桟材を設ける場合に比し、テーブル１の構成部材を減らすことができる。
【００３９】
また、脚部３０は、枠体２１を構成する短枠材２５及び長枠材２３のうち対向する短枠材２５のそれぞれの両端部の位置に設けられている。短枠材２５のうち一方の短枠材２５ａには持ち手２９が設けられ、他方の短枠材２５ｂの両端部の位置に設けられた脚部３０ｂの両側の先端面３５ｂ，３６ｂにはそれぞれキャスター３４が設けられる。これによれば、持ち手２９によって持ち手２９側の脚部３０ａを持ち上げると、地面に対してはキャスター３４のみが接触していることになるため、容易にテーブル１を移動させることができる。また、天板支持部２０に設けられた持ち手２９を持ち上げることで移動を行うため、天板部１０を持ち上げて移動させる場合のように、天板部１０と天板支持部２０とを強固に固定する必要がない。
【００４０】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【００４１】
例えば、テーブル１を構成する各部材が、集成材を用いた板状又は柱状部材によって形成される例を示したが、これに限定されない。例えば、無垢材等の集成材以外の木質材であっても構わないし、木質材以外であっても構わない。
【００４２】
また、天板部１０が天板支持部２０に載置されてテーブル１を構成する例を示したが、これに限定されない。天板部が天板支持部に対して分離可能に構成されていればよく、例えば、天板支持部に対して天板部を固定するための締結部材を備えていても構わない。この場合には、締結部材を外せば天板部が天板支持部から分離するため、実施形態と同様に作業負担を軽減することができる。
【００４３】
また、脚部３０の形状が、不等辺のＬ字状である例を示したが、これに限定されない。脚部は、長脚部と、長脚部の端部に連結されて長脚部とによってＬ字状を呈する短脚部とを有していればよい。例えば、脚部が、側面視において直角三角形状であり、直角を挟む２辺のうち、一方の辺が長脚部、他方の辺が短脚部として機能するものであれば、長脚部と短脚部とによるＬ字状部分を有するものといえる。なお、長脚部と短脚部とが直角で連結される例を示したが、これに限定されるものではなく、長脚部及び短脚部がいずれも脚部として機能する程度に屈曲して連結されていればよい。
【００４４】
また、補強桟材２７が、天板支持部２０と同じ厚さに形成されており、第１の載置面２１ａから第２の載置面２１ｂに亘って設けられている例を示したが、これに限定されない。補強桟材は、第１の支持形態と第２の支持形態とのいずれの場合にも吸い付き桟に当接することができれば、天板支持部に対する天板部の位置決めが可能となる。そこで、補強桟材は、吸い付き桟と当接可能な程度の厚さを備えて形成されていれば構わない。
【００４５】
一対の脚部３０ａ及び一対の脚部３０ｂが夫々自由に回動する例を示したが、これに限定されない。例えば、一対の脚部が連結部材によって連結されることで、一方の脚部を回動させると他方の脚部も回動する構成としても構わない。
【符号の説明】
【００４６】
１…テーブル、１０…天板部、１０ｂ…下面、１１，１２…吸い付き桟、２０…天板支持部、２１…枠体、２１ａ…第１の載置面、２１ｂ…第２の載置面、２３…長枠材（枠材）、２５，２５ａ，２５ｂ…短枠材（枠材）、２７…補強桟材、２９…持ち手、３０，３０ａ，３０ｂ…脚部、３１…長脚部、３３…短脚部、３４…キャスター、３５ｂ，３６ｂ…先端面、３７，３８…側面、Ｓ…回動軸。
【図１】
2015054216.tif 000003
【図２】
2015054216.tif 000004
【図３】
2015054216.tif 000005
【図４】
2015054216.tif 000006
【図５】
2015054216.tif 000007
【図６】
2015054216.tif 000008